(57)【要約】      （修正有）【課題】とう道内が停電になっても、入溝者全員が精神的動揺も無く安全に避難出来る、とう道用防浸形照明器具（一般用）を提供する。【解決手段】「１」はとう道用防浸形照明器具（一般用）、「２」は防浸形ケース、「３」は避難誘導ＬＥＤランプを示し、とう道内が停電しても入溝者全員を安全に避難誘導できる。【選択図】図２
0003137632.tif 000002
【実用新案登録請求の範囲】
【請求項１】
避難誘導を目的とした、ＬＥＤランプ搭載のとう道用防浸形照明器具（一般用）
【考案の詳細な説明】
【技術分野】
【０００１】本考案は、とう道内の停電発生時に入溝者全員が、精神的動揺がなく、安全に避難できる「行き先案内」に好適なとう道用防浸形照明器具（一般用）に関するものであり、とう道、企業者間共同溝、国土交通省共同溝そのた隋道等多岐にわたって利用出来る。
【背景技術】
【０００２】とう道内における停電発生時は、５０ｍ毎に設置している防浸形照明器具（非常用）（停電時３０分以上点灯）の灯り及び、大型強力懐中電灯による照明器具両側ソケットキャップ面の高輝度反射材により避難出来る設備であるが携帯形小型ペンライト程度の灯りでは、非常用照明器具のバッテリー放電後は避難誘導する目標がない。
【特許文献１】実用新案登録第３０４１１２９号
【考案の開示】
【考案が解決しょうとする課題】
【０００３】従来は、とう道内における停電発生時は５０ｍ毎に設置しているとう道用防浸形照明器具（非常用）（停電時３０分以上点灯）の灯り及び、大型強力懐中電灯による照明器具両側ソケットキャップ面の高輝度反射材が光り避難出来る設備はあるが、入溝している殆どの作業員はヘッドライトや小型ペンライトを使用しているため、高輝度反射材が光らず、とう道用防浸形照明器具（非常用）のバッテリー放電後は真っ暗闇になり、安全に避難できなくなってしまう。
そのため、とう道内が停電になっても、入溝者全員が精神的動揺も無く安全に避難出来る、とう道用防浸形照明器具（一般用）を提供することを目的とする。
【課題を解決するための手段】
【０００４】とう道用防浸形照明器具本体の防浸形ケース側面に、避難方向（縦方向）が見える位置にＬＥＤランプが設けられた、避難誘導を目的としたＬＥＤランプ搭載のとう道用防浸形照明器具（一般用）。
【考案の効果】
【０００５】本考案は、上記で述べた通り構成されており、暗闇での避難誘導が精神的動揺もなく入溝者全員が、安全に避難出来る。
【考案を実施するための最良の形態】
【０００６】上記目的を達成するために、本考案におけるとう道用防浸形照明器具（一般用）
〔図１〕に示すように、照明器具天板「１」に設置している防水形ケース「２」に避難誘導用のＬＥＤランプ「５」を設置する。
〔図２〕に示すように、防水形ケース「２」に避難誘導方向（縦方向）が見える位置に避難誘導用のＬＥＤランプ「５」を設置する。
【産業上の利用可能性】
【０００７】とう道、企業者間共同溝、国土交通省共同溝その他随道等多岐にわたって利用できる。
【図面の簡単な説明】
【００８】
【図１】は、とう道用防浸形照明器具（一般用）の側面図で、「１」はとう道用防浸形照明器具（一般用）を構成している基盤の＜照明器具天板＞を示す。「２」は、電子式防浸形蛍光灯安定器、防浸形コントロールユニットが収納されている＜防水形ケース＞を示す。「３」は、蛍光灯ランプが収納されている＜蛍光灯ランプカバー＞を示す。「４」は、従来の避難誘導のための＜高輝度反射材＞を示す。「５」は、今回考案した、避難誘導方向（縦方向）が見える位置に避難誘導用の＜ＬＥＤランプ＞を示す。
【図２】は、避難誘導方向（縦方向）より見た図（Ａ−Ａ断面図）で、説明内容は上記、〔図１〕と同様である。
【符号の説明】
【００９】〔１〕    照明器具天板
〔２〕    防水ケース
〔３〕    蛍光灯ランプカバー
〔４〕    高輝度反射材
〔５〕    ＬＥＤランプ
【図１】
0003137632.tif 000003
【図２】
0003137632.tif 000004
【手続補正書】
【提出日】平成19年6月19日(2007.6.19)
【手続補正１】
【補正対象書類名】実用新案登録請求の範囲
【補正対象項目名】全文
【補正方法】変更
【補正の内容】
【実用新案登録請求の範囲】
【請求項１】
とう道内に設置しているとう道用防浸形照明器具は、とう道直線方向に１０ｍ毎に設置されている。その内、とう道用防浸形照明器具（非常用）は５０ｍ毎に停電時に３０分間以上点灯するバッテリーを搭載しているが、その間１０ｍ毎に設置しているとう道用防浸形照明器具（一般用）にはバッテリーを搭載していないため、停電時には即時に消灯するので、とう道用防浸形照明器具（非常用）のバッテリーが放電してしまえば、真っ暗闇になってしまい、その場から避難することが出来なくなる。
そのため、とう道内が停電になっても入溝者全員が精神的動揺もなく安全に避難出来るよう、とう道用防浸形照明器具（一般用）の防水形ケースに避難誘導用のバッテリーを内蔵し、その防水形ケース表面にＬＥＤランプを搭載したとう道用防浸形照明器具。
【手続補正書】
【提出日】平成19年9月25日(2007.9.25)
【手続補正１】
【補正対象書類名】実用新案登録請求の範囲
【補正対象項目名】全文
【補正方法】変更
【補正の内容】
【実用新案登録請求の範囲】
【請求項１】
避難誘導用バッテリーを内蔵し、かつ、蛍光灯ランプカバーに設置した防水形ケースの表面のうち、避難誘導方向を目視で判断できる位置に、避難誘導用ＬＥＤランプを搭載したことを特徴とする洞道用防浸形照明器具。
【手続補正２】
【補正対象書類名】明細書
【補正対象項目名】全文
【補正方法】変更
【補正の内容】
【考案の詳細な説明】
【技術分野】
【０００１】
本考案は、洞道内に設置される洞道用防浸形照明器具、特に、長時間の停電発生時においても入溝者を安全に避難誘導できる洞道用防浸形照明器具に関する。
【背景技術】
【０００２】
従来、洞道内で使用される洞道用防浸形照明器具としては、１０ｍ毎に設置され、かつ、定常時に使用される洞道用防浸形照明器具（一般用）と、５０ｍ毎に設置され、かつ、停電時に使用される洞道用防浸形照明器具（非常用）とがある。通常、停電発生時に使用される前記洞道用防浸形照明器具（非常用）は、少なくとも３０分間点灯できるバッテリーを備えているが、前記バッテリーの放電後においても避難誘導できるように、両側端面に高輝度反射材を取り付けた洞道用防浸形照明器具がある（特許文献１参照）。
【特許文献１】実用新案登録第３０４１１２９号
【考案の開示】
【考案が解決しようとする課題】
【０００３】
しかしながら、前記高輝度反射材は、携帯形小型ペンライト程度の光では必要な輝度の反射光が得にくく、避難誘導するための目印になりにくいという問題点がある。
【０００４】
本考案は、前記問題点に鑑み、洞道内で長時間の停電が発生しても、入溝者全員を安全に避難誘導できる洞道用防浸形照明器具を提供することを課題とする。
【課題を解決するための手段】
【０００５】
本考案にかかる洞道用防浸形照明器具は、前記課題を解決すべく、避難誘導用バッテリーを内蔵し、かつ、蛍光灯ランプカバーに設置した防水形ケースの表面に、避難誘導用ＬＥＤランプを搭載した構成としてある。
【考案の効果】
【０００６】
本考案によれば、洞道内が長時間、停電しても、消費電力が少ない避難誘導用ＬＥＤランプが長時間、点灯し続けるので、入溝者が避難方向を目視で容易に判断できる。このため、入溝者は精神的動揺もなく、安全に避難できるという効果がある。
【考案を実施するための最良の形態】
【０００７】
本考案にかかる洞道用防浸形照明器具の実施形態を図１および図２の添付図面に従って説明する。
本考案にかかる洞道用防浸形照明器具は、照明器具天板１と、前記照明器具天板１で被覆され、かつ、蛍光灯（図示せず）を収納した蛍光灯ランプカバー３に搭載された防水形ケース２と、から構成されている。
【０００８】
前記防水形ケース２は、避難誘導用バッテリーを備えた防浸形コントロールユニットを内蔵するとともに、電子式防浸形蛍光灯安定器を内蔵している。また、前記防水形ケース２は、その表面のうち、避難誘導方向を目視で判断できる位置に避難誘導用ＬＥＤランプ５を設置してある。なお、前記防水形ケース２は防浸形ケースをも意味する。
【０００９】
前記蛍光灯ランプカバー３は、その両側端面に高輝度反射材４をそれぞれ設けてある。
【産業上の利用可能性】
【００１０】
前記洞道用防浸形照明器具は、洞道、企業者間共同溝、国土交通省共同溝、その他の隧道等に利用できる。
【図面の簡単な説明】
【００１１】
【図１】本発明にかかる洞道用防浸形照明器具の正面図である。
【図２】図１で示した洞道用防浸形照明器具の拡大左側面図である。
【符号の説明】
【００１２】
１：照明器具天板
２：防水形ケース
３：蛍光灯ランプカバー
４：高輝度反射材
５：避難誘導用ＬＥＤランプ
【手続補正３】
【補正対象書類名】図面
【補正対象項目名】全図
【補正方法】変更
【補正の内容】
【図１】
0003137632.tif 000005
【図２】
0003137632.tif 000006